(57)【要約】【課題】  モアレ縞の発生を抑えることができ、且つ製作が容易なシャドウマスクを備えたカラー陰極線管を提供する。【解決手段】  シャドウマスク５に形成された孔列２０は、第１開孔３１と、垂直方向幅が第１開孔３１より短い第２開孔３２と、これらの開孔間のブリッジ３３とを有する。ブリッジ３３の垂直方向の中心位置を通る水平方向線を水平方向中心線３３ａとし、第１開孔３３及び第２開孔３２を垂直方向にそれぞれ挟む一対のブリッジ３３の水平方向中心線３３ａの垂直方向間隔を順にＰBL，ＰBSとし、垂直方向において互いに最も接近した２つの第１開孔３１間の第２開孔３２の個数をＮとしたとき、Ｎ≧１、ＰBL＞Ｎ×ＰBSを満足し、第１開孔３１に対して少なくとも１つの第２開孔３２が水平方向に対向し、第１開孔３１は垂直方向の両端を除く位置に水平方向幅が他の部分よりも小さな部分を少なくとも１つ有する。【選択図】  図３
2006073430.tif 000002
【特許請求の範囲】
【請求項１】
内面に蛍光体スクリーンが形成されたパネルと、前記蛍光体スクリーンと対向するシャドウマスクとを備えたカラー陰極線管において、
前記シャドウマスクは、垂直方向に沿った複数の孔列を有し、
前記孔列は、第１開孔と、垂直方向幅が前記第１開孔より短い第２開孔と、これらの開孔間のブリッジとを有し、
前記ブリッジの垂直方向の中心位置を通る水平方向線を水平方向中心線とし、前記第１開孔及び前記第２開孔を垂直方向にそれぞれ挟む一対のブリッジの前記水平方向中心線の垂直方向間隔を順にＰBL，ＰBSとし、垂直方向において互いに最も接近した２つの前記第１開孔の間に挟まれる前記第２開孔の個数をＮとしたとき、Ｎ≧１、ＰBL＞Ｎ×ＰBSを満足し、
水平方向に互いに隣り合う２つの前記孔列のうちの一方の孔列に属する前記第１開孔に対して、他方の孔列に属する少なくとも１つの前記第２開孔が、垂直方向において重複する位置に設けられており、
前記第１開孔は、垂直方向の両端を除く位置に水平方向幅が他の部分よりも小さな部分を少なくとも１つ有することを特徴とするカラー陰極線管。
【請求項２】
全ての孔列において、前記個数Ｎが一定である請求項１に記載のカラー陰極線管。
【請求項３】
水平方向に連続する複数の前記孔列からなる繰り返し単位が水平方向に繰り返されている請求項１に記載のカラー陰極線管。
【請求項４】
水平方向において１つおいた２つの前記孔列に含まれる前記ブリッジの垂直方向の位置が互いに異なる請求項１に記載のカラー陰極線管。
【請求項５】
水平方向に互いに隣り合う２つの前記孔列において、一方の孔列に属する前記第２開孔の垂直方向の位置に対して、他方の孔列に属する前記第２開孔の垂直方向の位置は０．５×ＰBSのほぼ整数倍だけずれている請求項１に記載のカラー陰極線管。
【請求項６】
前記第１開孔の水平方向最大幅をＷLmax、前記第２開孔の水平方向幅をＷSとしたとき、ＷLmax＜ＷSである請求項１に記載のカラー陰極線管。
【発明の詳細な説明】
【技術分野】
【０００１】
本発明はカラー陰極線管に関する。
【背景技術】
【０００２】
カラー陰極線管では、電子銃から射出される電子ビームが、シャドウマスクに形成された開孔を通過した後、蛍光体スクリーンに射突して、蛍光体を発光させる。
【０００３】
図８に示すように、シャドウマスク９５は、矢印９の方向（垂直方向、即ちＹ軸方向）に張力が印加された状態でマスクフレーム９６に溶接されている。シャドウマスク９５には、多数の開孔９０が形成されており、電子ビームはこの開孔９０を通過して蛍光体スクリーンに到達する。
【０００４】
このようなテンション方式のシャドウマスク９５に形成される開孔９０の形状及び配置としては図９のように、垂直方向を長手方向とする略スロット型のほぼ同じ形状の開孔９０を多数配列したものが一般的である。
【０００５】
カラー陰極線管の動作時に、シャドウマスク９５は電子ビームにより加熱され膨張する。垂直方向の熱膨張はシャドウマスク９５に印加された張力により吸収されるが、水平方向の熱膨張はブリッジ９１を介して水平方向に伝わり、いわゆるドーミングを発生する。このドーミングを防止するためには、ブリッジ９１の垂直方向ピッチが長い方が好ましい。また、ブリッジ９１の垂直方向ピッチを長くすると、開孔面積が増加することにより表示画像の輝度が向上する。しかしながら、ブリッジ９１の垂直方向ピッチを長くすると、規則正しく配置されたブリッジ９１と水平方向の走査線との相互干渉によってモアレ縞が発生し画質が劣化するという問題や、機械的強度の低下により、振動に対して弱い特性を示し、色ムラを発生しやすくなるという問題がある。
【０００６】
この問題を解決するために、特許文献１には、シャドウマスク９５の各開孔９０の一対の垂直辺を凹凸状とする技術が開示されている。図１０に、このシャドウマスク９５、蛍光体スクリーン２ａ、および、シャドウマスク９５の開孔９０を通過した後の電子ビーム（通過ビーム）９４を電子銃側から見た様子を簡略化して示す。
【０００７】
このような技術によれば、開孔９０の一対の垂直辺から内側に突出する複数の凸部９２が疑似ブリッジとしての役割を果たすので、ブリッジ９１の垂直方向ピッチを長くしてもブリッジ９１と走査線との干渉作用によるモアレ縞の発生を抑えることができる。また、ブリッジ９１の数を減らすことができるため、ブリッジ９１を介して水平方向の熱膨張が水平方向に伝達されにくくなるので、ドーミングによりシャドウマスク９５の開孔９０の位置ずれを抑えることができ、色ズレ防止効果が得られる。
【特許文献１】特開２００１−８４９１８号公報
【発明の開示】
【発明が解決しようとする課題】
【０００８】
図１０のシャドウマスク９５において、凸部９２が上述した疑似ブリッジとしての役割を果たすためには、水平方向に対向する一対の凸部９２の間の水平方向間隔Ｗは可能な限り小さいこと、即ち凸部９２の突出量が大きいことが好ましい。また、凸部９２の垂直方向幅Ｈは表示画像の輝度を確保するために、ブリッジ９１の垂直方向幅と同程度以下に小さくすることが好ましい。
【０００９】
しかしながら、このような水平方向間隔Ｗ及び垂直方向幅Ｈがともに小さくなるように凸部９２を精度良く製作することは困難であり、生産性が悪く、コスト高になるという問題を有していた。
【００１０】
本発明は、上記の従来の問題を解決し、モアレ縞の発生を抑えることができ、且つ製作が容易なシャドウマスクを備えたカラー陰極線管を提供することを目的とする。
【課題を解決するための手段】
【００１１】
本発明にかかるカラー陰極線管は、内面に蛍光体スクリーンが形成されたパネルと、前記蛍光体スクリーンと対向するシャドウマスクとを備える。前記シャドウマスクは、垂直方向に沿った複数の孔列を有し、前記孔列は、第１開孔と、垂直方向幅が前記第１開孔より短い第２開孔と、これらの開孔間のブリッジとを有する。前記ブリッジの垂直方向の中心位置を通る水平方向線を水平方向中心線とし、前記第１開孔及び前記第２開孔を垂直方向にそれぞれ挟む一対のブリッジの前記水平方向中心線の垂直方向間隔を順にＰＢＬ，ＰＢＳとし、垂直方向において互いに最も接近した２つの前記第１開孔の間に挟まれる前記第２開孔の個数をＮとしたとき、Ｎ≧１、ＰＢＬ＞Ｎ×ＰＢＳを満足する。水平方向に互いに隣り合う２つの前記孔列のうちの一方の孔列に属する前記第１開孔に対して、他方の孔列に属する少なくとも１つの前記第２開孔が、垂直方向において重複する位置に設けられている。前記第１開孔は、垂直方向の両端を除く位置に水平方向幅が他の部分よりも小さな部分を少なくとも１つ有する。
【発明の効果】
【００１２】
本発明によれば、モアレ縞の発生を抑えることができ、且つ製作が容易なシャドウマスクを備えたカラー陰極線管を提供することができる。
【発明を実施するための最良の形態】
【００１３】
本発明の上記のカラー陰極線管において、全ての孔列において、前記個数Ｎが一定であることが好ましい。これにより、第１開孔、第２開孔、及びブリッジの配置設計が容易になる。
【００１４】
本発明の上記のカラー陰極線管において、水平方向に連続する複数の前記孔列からなる繰り返し単位が水平方向に繰り返されていることが好ましい。これにより、第１開孔、第２開孔、及びブリッジの配置設計が容易になる。また、シャドウマスクの第１開孔及び第２開孔が形成された有孔領域の全域において、ブリッジを垂直方向に分散配置することが容易になる。
【００１５】
本発明の上記のカラー陰極線管において、水平方向において１つおいた２つの前記孔列に含まれる前記ブリッジの垂直方向の位置が互いに異なることが好ましい。これにより、モアレ縞の発生を一層低減できる。
【００１６】
本発明の上記のカラー陰極線管において、水平方向に互いに隣り合う２つの前記孔列において、一方の孔列に属する前記第２開孔の垂直方向の位置に対して、他方の孔列に属する前記第２開孔の垂直方向の位置は０．５×ＰBSのほぼ整数倍だけずれていることが好ましい。これにより、モアレ縞の発生を一層低減できる。
【００１７】
本発明の上記のカラー陰極線管において、前記第１開孔の水平方向最大幅をＷLmax、前記第２開孔の水平方向幅をＷSとしたとき、ＷLmax＜ＷSであることが好ましい。これにより、蛍光体スクリーンを露光法により形成する場合に、より均一幅の蛍光体ストライプを形成することが可能になる。
【００１８】
以下、本発明のカラー陰極線管を図面を用いて説明する。
【００１９】
本発明のカラー陰極線管の一実施形態を図１に示す。カラー陰極線管１は、内面に蛍光体スクリーン２ａが形成されたパネル２とファンネル３とからなる外囲器を備える。ファンネル３のネック部３ａには電子銃４が内装されている。蛍光体スクリーン２ａに対向するシャドウマスク５がマスクフレーム６によって支持され、マスクフレーム６はスプリング（図示せず）を介してパネル２の内壁に設けられたパネルピン（図示せず）に取り付けられる。また、電子銃４から射出される３本の電子ビーム７を偏向走査させるために、ファンネル３の外部に偏向ヨーク８が設けられている。
【００２０】
説明の便宜のために、管軸をＺ軸、Ｚ軸と交差する水平方向軸をＸ軸、Ｘ軸及びＺ軸と交差する垂直方向軸をＹ軸とするＸＹＺ直交座標系を設定する。
【００２１】
（実施の形態１）
実施の形態１にかかるシャドウマスク５とマスクフレーム６とからなる組み立て体を図２に示す。マスクフレーム６は、長辺をなす対向する一対の支持体１０と短辺をなす一対の弾性部材１１とが長方形状の枠体となるように固定されて構成される。シャドウマスク５は、矢印９の方向（垂直方向、即ちＹ軸方向）に張力を印加された状態で支持体１０に溶接されている。シャドウマスク５は、電子ビームが通過する開孔が垂直方向に並んだ孔列２０を水平方向（Ｘ軸方向）に多数有している。
【００２２】
図３は、シャドウマスク５に形成された開孔を示した拡大正面図である。
【００２３】
各孔列２０は、垂直方向幅が長い第１開孔３１と、垂直方向幅が第１開孔３１より短い第２開孔３２と、これらの開孔３１，３２間のブリッジ３３とからなる。本実施の形態では、垂直方向に最も接近した２つの第１開孔３１の間には８つの第２開孔３２が設けられている。従って、各孔列２０では、１つの第１開孔３１と８つの第２開孔３２とこれらの開孔３１，３２間のブリッジ３３とを繰り返し単位として、この繰り返し単位が垂直方向に繰り返して配置されている。
【００２４】
ブリッジ３３の垂直方向の中心位置を通る水平方向線を水平方向中心線３３ａと呼ぶ。本実施の形態では、全てのブリッジ３３についての水平方向中心線３３ａは、垂直方向に略一定の間隔（間隔ＰB）で配置される。換言すれば、シャドウマスク５上に形成されたいずれのブリッジ３３も、シャドウマスク５上に間隔ＰBで等間隔に配置された多数の水平方向線３３ａのいずれかにほぼ沿って配置される。ブリッジ３３の垂直方向幅はほぼ一定である。
【００２５】
第１開孔３１を垂直方向に挟む一対のブリッジ３３の水平方向中心線３３ａの垂直方向間隔をＰBL、第２開孔３２を垂直方向に挟む一対のブリッジ３３の水平方向中心線３３ａの垂直方向間隔をＰBSとすると、ＰBL＝２０×ＰB、ＰBS＝２×ＰBを満足する。また、垂直方向において互いに最も接近した２つの第１開孔３１の間に挟まれる第２開孔３２の個数をＮとしたとき、いずれの孔列２０においてもＰBL＞Ｎ×ＰBSを満足している。即ち、連続する８つの第２開孔３２を垂直方向に挟む一対のブリッジ３３の水平方向中心線３３ａの垂直方向間隔８×ＰBSよりも、１つの第１開孔３１を垂直方向に挟む一対のブリッジ３３の水平方向中心線３３ａの垂直方向間隔ＰBLの方が長い。
【００２６】
更に、水平方向に互いに隣り合う２つの孔列２０のうちの一方の孔列２０に属する第１開孔３１に対して、他方の孔列２０に属する少なくとも１つの第２開孔３２が、垂直方向において重複する位置に設けられている。即ち、図３において、互いに隣り合う２つの孔列２０のうちの一方の孔列２０の第１開孔３１に対して、他方の孔列２０の少なくとも１つの第２開孔３２が、水平方向に対向している。
【００２７】
このような構成によりモアレ縞を低減できる。これを以下に説明する。
【００２８】
シャドウマスク５に形成されたブリッジ３３は電子ビームを遮蔽するために、蛍光体スクリーン２ａ上ではブリッジ３３の影が形成され、この影は非発光部分となる。多数のブリッジ３３が共通する水平方向中心線３３ａ上に形成され、且つこの水平方向中心線３３ａの垂直方向間隔ＰBがある限度以上に大きくなると、ブリッジ３３が水平方向走査線と干渉することにより、画面上でモアレ縞が視認されるようになる。従って、モアレ縞の発生を防止するためには、同一の水平方向中心線３３ａ上に配置されるブリッジ３３の数を可能な限り少なくすること、及び、水平方向中心線３３ａの垂直方向間隔ＰBを狭くすることが有効である。
【００２９】
図３に示した本実施の形態では、少なくとも１つの第２開孔３２と、ＰBL＞Ｎ×ＰBSを満足する長い第１開孔３１とが水平方向に対向するように、第１開孔３１及び第２開孔３２が配置されている。従って、水平方向に互いに隣り合う２つ孔列２０において、ブリッジ３３の垂直方向位置が一致する可能性が低減されている。即ち、同一の水平方向中心線３３ａ上に配置されるブリッジ３３の数が可能な限り低減されている。また、上記の条件を満足しながらＰBSを小さく設定すれば、ブリッジ３３が配置された水平方向中心線３３ａの垂直方向間隔ＰBを狭くすることが可能である。これらの結果、モアレ縞の発生を防止することができる。
【００３０】
また、水平方向に互いに隣り合う２つ孔列２０において、ブリッジ３３が水平方向に並ぶ可能性が低減できるので、シャドウマスク５の熱膨張がブリッジ３３を介して水平方向に伝達されにくくなる。従って、ドーミングの発生を防止することができる。
【００３１】
更に、垂直方向に長い第１開孔３１に対して、第２開孔３２が水平方向に対向しているので、第１開孔３１の水平方向における近傍にはブリッジ３３が必ず存在することになる。従って、長い第１開孔３１の存在によりシャドウマスク５の機械的強度が局所的に低下するのが防止され、振動にも強い特性を示し、色ムラを防止することができる。
【００３２】
図４は、第１開孔３１及び第２開孔３２の開孔形状を示した拡大正面図である。第１開孔３１の垂直方向に延びる一対の端縁の互いに対向する位置に一対の凸部３５が形成されている。この結果、第１開孔３１の垂直方向の両端を除いて、凸部３５が形成された位置で水平方向幅が最小値ＷLminをとり、それ以外の部分で最大値ＷLmaxをとる。本実施の形態では、一対の凸部３５は垂直方向にピッチＰBSで、水平方向線３３ａ上に形成されている。
【００３３】
この凸部３５によりパネル２の内面に水平方向幅が均一な蛍光体ストライプを形成することができる。これは以下の理由による。
【００３４】
蛍光体スクリーン２ａは垂直方向に延びる複数の蛍光体ストライプから構成される。この蛍光体ストライプは、一般に、シャドウマスク５をマスクとして使用した露光法により形成される。この露光法では、光の照度が異なると形成される蛍光体ストライプの幅に変化が生じる。第１開孔３１と第２開孔３２の水平方向幅を同一にした場合には、第１開孔３１を通過した光の照度は、これより垂直方向幅が小さな第２開孔３２を通過した光の照度より大きくなる。従って、露光法により均一幅の蛍光体ストライプを形成することは困難である。
【００３５】
これに対して、図４に示すように、第１開孔３１に、水平方向幅が狭くなった部分を形成することにより、露光時に第１開孔３１を通過した光の照度を抑えることができるので、均一幅の蛍光体ストライプを形成することが可能になる。
【００３６】
凸部３５は、垂直方向において第１開孔３１の両端を除く位置に形成される必要がある。第１開孔３１の垂直方向における両端に凸部３５が形成されていると、露光時にブリッジ３３近傍部分によって形成される影の面積が大きくなり、この部分の光の照度が極端に低下するので、得られる蛍光体ストライプの幅が不均一になるからである。
【００３７】
なお、図４では、凸部３５は、垂直方向ピッチＰBSで、水平方向線３３ａ上に、対向して配置したが、本発明はこれに限定されない。例えば、凸部３５の垂直方向の配置ピッチや位置は適宜変更することができる。また、凸部３５を、第１開孔３１の垂直方向に延びる一対の端縁の両方に対向して配置する必要はなく、例えばいずれか一方の端縁のみに配置しても良い。また、凸部３５が垂直方向に長く、その結果、第１開孔３１が図５に示されているように全体として略「Ｉ」字状であっても良い。
【００３８】
図１０に示した従来のシャドウマスク９５の凸部９２は、上述のように、疑似ブリッジとして機能させてモアレ縞の発生を抑えることを主たる目的としている。この目的を達成するために、凸部９２の突出量（又は一対の凸部９２の間の水平方向間隔Ｗ）、垂直方向幅Ｈ、形成位置などを厳密に管理する必要があった。一方、本発明において凸部３５は、以上の説明から明らかなように、露光法により蛍光体スクリーンを形成する際に、第１開孔３１を通過した光の照度と第２開孔３２を通過した光の照度とのバランスを確保することを主たる目的として設けられる。この目的を達成するためには、凸部３５の突出量、垂直方向幅、形成位置などに関する精度は、図１０の凸部９２ほど要求されない。従って、シャドウマスク５の製作が容易になり、歩留まりが向上し、低コスト化が可能になる。
【００３９】
なお、第２開孔３２の水平方向幅ＷSを第１開孔３１の水平方向最大幅ＷLmaxより大きくしても良い。これにより、露光時に第２開孔３２を通過した光の照度を増大させることができるので、より均一幅の蛍光体ストライプを形成することが可能になる。
【００４０】
本実施の形態では、全ての孔列２０において、第１開孔３１、第２開孔３２、及びブリッジ３３の各部寸法はほぼ同じであり、また、垂直方向に最も接近した２つの第１開孔３１の間に配置された第２開孔３２の数Ｎも同一である。このように、垂直方向の繰り返し単位を全ての孔列２０において共通にすることにより、開孔３１，３２及びブリッジ３３の配置設計が容易になる。
【００４１】
但し、孔列２０ごとに、第１開孔３１、第２開孔３２、及びブリッジ３３の垂直方向の位置を変化させることにより、上述した図３の開孔配置を実現している。より具体的には、水平方向に連続する４つの孔列２０ａ〜２０ｄを繰り返し単位２１とし、この繰り返し単位２１を水平方向に繰り返すことにより、開孔３１，３２及びブリッジ３３を配置している。これにより、開孔３１，３２及びブリッジ３３の配置設計が容易になる。また、シャドウマスク５の開孔３１，３２が形成された有孔領域の全域において、ブリッジ３３を垂直方向に分散配置することが容易になる。
【００４２】
また、本実施の形態では、水平方向において１つおいた２つの孔列２０に含まれるブリッジ３３の垂直方向の位置が互いに異なっている。具体的には、孔列２０ａに含まれるブリッジ３３の垂直方向位置と孔列２０ｃに含まれるブリッジ３３の垂直方向位置とは、ほぼ距離ＰBだけずれている。同様に、孔列２０ｂに含まれるブリッジ３３の垂直方向位置と孔列２０ｄに含まれるブリッジ３３の垂直方向位置とは、ほぼ距離ＰBだけずれている。これにより、水平方向線３３ａの垂直方向間隔を小さくすることができるので、モアレ縞の発生を一層低減できる。
【００４３】
また、本実施の形態では、水平方向に互いに隣り合う２つの孔列２０において、一方の孔列に属する第２開孔３２の垂直方向の位置に対して、他方の孔列に属する第２開孔３２の垂直方向の位置は０．５×ＰBSのほぼ整数倍だけずれている。例えば、孔列２０ａの第２開孔３２の垂直方向の位置に対して、孔列２０ｂの第２開孔３２の垂直方向の位置は１７×（０．５×ＰBS）だけずれている。また、孔列２０ｂの第２開孔３２の垂直方向の位置に対して、孔列２０ｃの第２開孔３２の垂直方向の位置は１８×（０．５×ＰBS）だけずれている。また、孔列２０ｃの第２開孔３２の垂直方向の位置に対して、孔列２０ｄの第２開孔３２の垂直方向の位置は１９×（０．５×ＰBS）だけずれている。更に、孔列２０ｄの第２開孔３２の垂直方向の位置に対して、孔列２０ａの第２開孔３２の垂直方向の位置は１８×（０．５×ＰBS）だけずれている。これにより、水平方向線３３ａの垂直方向間隔を小さくすることができるので、モアレ縞の発生を一層低減できる。
【００４４】
本実施の形態を、画面対角サイズが７６ｃｍ、偏向角１００°のカラー陰極線管に適用した場合の実施例を示す。
【００４５】
図３、図４に示したシャドウマスク５において、孔列２０の水平方向ピッチＰH＝０．５８ｍｍ、水平方向線３３ａの垂直方向間隔ＰB＝０．２９ｍｍとした。従って、第１開孔３１を垂直方向に挟む一対のブリッジ３３の水平方向中心線３３ａの垂直方向間隔ＰBL＝２０×ＰB＝５．８ｍｍ、第２開孔３２を垂直方向に挟む一対のブリッジ３３の水平方向中心線３３ａの垂直方向間隔ＰBS＝２×ＰB＝０．５８ｍｍとした。第１開孔３１の垂直方向幅ＨL＝５．７５ｍｍ、垂直方向の両端及び凸部３５を除いた位置での水平方向幅ＷLmax＝０．１５ｍｍ、凸部３５が形成された位置での第１開孔３１の水平方向幅ＷLmin＝０．１３ｍｍ、凸部３５の突出量ＨP＝０．０１ｍｍとした。凸部３５は、垂直方向に０．５８ｍｍピッチで水平方向中心線３３ａ上に形成した。第２開孔３２の垂直方向幅ＨS＝０．５３ｍｍ、水平方向幅ＷS＝０．１５ｍｍとした。
【００４６】
このようなシャドウマスク５を用いてカラー陰極線管を作成すると、ブリッジ３３が電子ビームを遮るので、蛍光体スクリーン２ａ上にはブリッジ３３の位置に対応した位置に非発光部分が形成される。この非発光部分は、ブリッジ３３の水平方向中心線３３ａの垂直方向間隔ＰBとほぼ同じ間隔で蛍光体スクリーン２ａ上に配置された仮想の水平方向線に沿って配置される。一般に、非発光部分が配置されるこの水平方向線の垂直方向間隔が１．２ｍｍ程度以上になるとモアレ縞が視認されやすくなる。本実施例では、該垂直方向間隔はこれよりはるかに小さく、目視観察においてモアレ縞は認められなかった。
【００４７】
（実施の形態２）
図６は、本発明の実施の形態２にかかるカラー陰極線管に使用されるシャドウマスク５に形成された開孔を示した拡大正面図である。本実施の形態２はシャドウマスク５に形成された開孔の寸法及び配置が異なる以外は実施の形態１と同じである。実施の形態１と同じ構成要素には同一の符号を付してそれらについての詳細な説明を省略する。以下に、実施の形態１との相違点を中心に本実施の形態を説明する。
【００４８】
本実施の形態２においても、各孔列２０は、垂直方向幅が長い第１開孔３１と、垂直方向幅が第１開孔３１より短い第２開孔３２と、これらの開孔３１，３２間のブリッジ３３とからなる。但し、実施の形態１と異なり、本実施の形態では、垂直方向に最も接近した２つの第１開孔３１の間には４つの第２開孔３２が設けられている。従って、各孔列２０では、１つの第１開孔３１と４つの第２開孔３２とこれらの開孔３１，３２間のブリッジ３３とを繰り返し単位として、この繰り返し単位が垂直方向に繰り返して配置されている。
【００４９】
本実施の形態でも、全てのブリッジ３３についての水平方向中心線３３ａは、垂直方向に略一定の間隔（間隔ＰB）で配置される。
【００５０】
第１開孔３１を垂直方向に挟む一対のブリッジ３３の水平方向中心線３３ａの垂直方向間隔をＰBL、第２開孔３２を垂直方向に挟む一対のブリッジ３３の水平方向中心線３３ａの垂直方向間隔をＰBSとすると、ＰBL＝１２×ＰB、ＰBS＝２×ＰBを満足する。また、垂直方向において互いに最も接近した２つの第１開孔３１の間に挟まれる第２開孔３２の個数をＮとしたとき、いずれの孔列２０においてもＰBL＞Ｎ×ＰBSを満足している。即ち、連続する４つの第２開孔３２を垂直方向に挟む一対のブリッジ３３の水平方向中心線３３ａの垂直方向間隔４×ＰBSよりも、１つの第１開孔３１を垂直方向に挟む一対のブリッジ３３の水平方向中心線３３ａの垂直方向間隔ＰBLの方が長い。
【００５１】
更に、水平方向に互いに隣り合う２つの孔列２０のうちの一方の孔列２０に属する第１開孔３１に対して、他方の孔列２０に属する少なくとも１つの第２開孔３２が、垂直方向において重複する位置に設けられている。即ち、図６において、互いに隣り合う２つの孔列２０のうちの一方の孔列２０の第１開孔３１に対して、他方の孔列２０の少なくとも１つの第２開孔３２が、水平方向に対向している。
【００５２】
以上により、実施の形態１と同様にモアレ縞を低減することができる。
【００５３】
また、図６では図示を省略しているが、実施の形態１と同様に、第１開孔３１の垂直方向に延びる一対の端縁の互いに対向する位置に一対の凸部３５が形成されている。一対の凸部３５は垂直方向にピッチＰBSで、水平方向線３３ａ上に形成されている。
【００５４】
この凸部３５により、実施の形態１と同様に、パネル２の内面に水平方向幅が均一な蛍光体ストライプを形成することができる。
【００５５】
上記以外は実施の形態１と同様である。
【００５６】
本実施の形態２は実施の形態１と同様の効果を奏する。
【００５７】
（実施の形態３）
図７は、本発明の実施の形態３にかかるカラー陰極線管に使用されるシャドウマスク５に形成された開孔を示した拡大正面図である。本実施の形態３はシャドウマスク５に形成された開孔の寸法及び配置が異なる以外は実施の形態１と同じである。実施の形態１と同じ構成要素には同一の符号を付してそれらについての詳細な説明を省略する。以下に、実施の形態１との相違点を中心に本実施の形態を説明する。
【００５８】
本実施の形態３においても、各孔列２０は、垂直方向幅が長い第１開孔３１と、垂直方向幅が第１開孔３１より短い第２開孔３２と、これらの開孔３１，３２間のブリッジ３３とからなる。但し、実施の形態１と異なり、本実施の形態では、垂直方向に最も接近した２つの第１開孔３１の間には２つの第２開孔３２が設けられている。従って、各孔列２０では、１つの第１開孔３１と２つの第２開孔３２とこれらの開孔３１，３２間のブリッジ３３とを繰り返し単位として、この繰り返し単位が垂直方向に繰り返して配置されている。
【００５９】
本実施の形態でも、全てのブリッジ３３についての水平方向中心線３３ａは、垂直方向に略一定の間隔（間隔ＰB）で配置される。
【００６０】
第１開孔３１を垂直方向に挟む一対のブリッジ３３の水平方向中心線３３ａの垂直方向間隔をＰBL、第２開孔３２を垂直方向に挟む一対のブリッジ３３の水平方向中心線３３ａの垂直方向間隔をＰBSとすると、ＰBL＝８×ＰB、ＰBS＝２×ＰBを満足する。また、垂直方向において互いに最も接近した２つの第１開孔３１の間に挟まれる第２開孔３２の個数をＮとしたとき、いずれの孔列２０においてもＰBL＞Ｎ×ＰBSを満足している。即ち、連続する２つの第２開孔３２を垂直方向に挟む一対のブリッジ３３の水平方向中心線３３ａの垂直方向間隔２×ＰBSよりも、１つの第１開孔３１を垂直方向に挟む一対のブリッジ３３の水平方向中心線３３ａの垂直方向間隔ＰBLの方が長い。
【００６１】
更に、水平方向に互いに隣り合う２つの孔列２０のうちの一方の孔列２０に属する第１開孔３１に対して、他方の孔列２０に属する少なくとも１つの第２開孔３２が、垂直方向において重複する位置に設けられている。即ち、図７において、互いに隣り合う２つの孔列２０のうちの一方の孔列２０の第１開孔３１に対して、他方の孔列２０の少なくとも１つの第２開孔３２が、水平方向に対向している。
【００６２】
以上により、実施の形態１と同様にモアレ縞を低減することができる。
【００６３】
また、図７では図示を省略しているが、実施の形態１と同様に、第１開孔３１の垂直方向に延びる一対の端縁の互いに対向する位置に一対の凸部３５が形成されている。一対の凸部３５は垂直方向にピッチＰBSで、水平方向線３３ａ上に形成されている。
【００６４】
この凸部３５により、実施の形態１と同様に、パネル２の内面に水平方向幅が均一な蛍光体ストライプを形成することができる。
【００６５】
上記以外は実施の形態１と同様である。
【００６６】
本実施の形態３は実施の形態１と同様の効果を奏する。
【産業上の利用可能性】
【００６７】
本発明の利用分野は特に制限はないが、モアレ縞が少なく画像品質に優れることから、テレビジョン受像機又はコンピュータディスプレイに好ましく利用できる。
【図面の簡単な説明】
【００６８】
【図１】本発明にかかるカラー陰極線管の一実施形態を示した側面断面図
【図２】本発明の実施の形態１にかかるカラー陰極線管におけるシャドウマスクとマスクフレームとからなる組み立て体を示す斜視図
【図３】本発明の実施の形態１にかかるカラー陰極線管において、シャドウマスクに形成された開孔を示した拡大正面図
【図４】本発明の実施の形態１にかかるカラー陰極線管において、シャドウマスクに形成された開孔形状を示した拡大正面図
【図５】本発明の実施の形態１にかかるカラー陰極線管において、シャドウマスクに形成された開孔形状の別の例を示した拡大正面図
【図６】本発明の実施の形態２にかかるカラー陰極線管において、シャドウマスクに形成された開孔を示した拡大正面図
【図７】本発明の実施の形態３にかかるカラー陰極線管において、シャドウマスクに形成された開孔を示した拡大正面図
【図８】従来のカラー陰極線管におけるシャドウマスクとマスクフレームとからなる組み立て体を示す斜視図
【図９】従来のカラー陰極線管のシャドウマスクに形成される開孔の形状及び配置の一例を示した図
【図１０】従来の別のカラー陰極線管において、シャドウマスク、蛍光体スクリーン、及び電子ビームが開孔を通過後に蛍光体スクリーンへ到達した通過ビームを電子銃側から見た切り欠き概略図
【符号の説明】
【００６９】
１  カラー陰極線管
２  パネル
２ａ  蛍光体スクリーン
３  ファンネル
３ａ  ネック部
４  電子銃
５  シャドウマスク
６  マスクフレーム
７  電子ビーム
８  偏向ヨーク
１０  支持体
１１  弾性部材
２０，２０ａ，２０ｂ，２０ｃ，２０ｄ  孔列
２１  水平方向の繰り返し単位
３１  第１開孔
３２  第２開孔
３３  ブリッジ
３３ａ  水平方向中心線
【図１】
2006073430.tif 000003
【図２】
2006073430.tif 000004
【図３】
2006073430.tif 000005
【図４】
2006073430.tif 000006
【図５】
2006073430.tif 000007
【図６】
2006073430.tif 000008
【図７】
2006073430.tif 000009
【図８】
2006073430.tif 000010
【図９】
2006073430.tif 000011
【図１０】
2006073430.tif 000012